(57)【要約】【課題】液晶表示パネルの個体毎の特性等に応じて常に最適なコントラスト調整を自動的に実行させる。【解決手段】電源オンまたはリセットの指示に際して、液晶部15の全点灯時における駆動電圧に対する駆動電流特性と全消灯時における駆動電圧に対する駆動電流特性とを測定するコントラスト検出部16と、前記全点灯時と全消灯時に測定した結果の相関に基づいてコントラストが最大となる液晶駆動電圧を算出するＣＰＵ11とを備える。【選択図】      図１
2005121898.tif 000002
【特許請求の範囲】
【請求項１】
液晶表示素子のコントラスト調整を指示する指示手段と、
この指示手段により前記液晶表示素子の全点灯時における液晶駆動電圧に対する駆動電流特性を測定する全点灯時測定手段と、
前記指示手段により前記液晶表示素子の全消灯時における液晶駆動電圧に対する駆動電流特性を測定する全消灯時測定手段と、
前記全点灯時測定手段と前記全消灯時測定手段で得た各測定結果の相関に基づいてコントラストが最大となる液晶駆動電圧を算出する算出手段と
を具備したことを特徴とする液晶表示装置。
【請求項２】
前記算出手段は、前記液晶表示素子の全点灯時に駆動電流の変化の度合いが最も大きい液晶駆動電圧と全消灯時に駆動電流の変化の度合いが最も大きい液晶駆動電圧との中間電圧をコントラストが最大となる液晶駆動電圧とすることを特徴とする請求項１記載の液晶表示装置。
【請求項３】
前記算出手段は、前記液晶表示素子の全点灯時と全消灯時の各駆動電流値の差分を算出し、その算出した差分が最も大きくなる液晶駆動電圧をコントラストが最大となる液晶駆動電圧とすることを特徴とする請求項１記載の液晶表示装置。
【請求項４】
液晶表示素子のコントラスト調整を指示する指示手段と、
この指示手段により前記液晶表示素子の全点灯時における液晶駆動電圧に対する液晶昇圧回路で得られるパルス信号の特性を測定する全点灯時測定手段と、
前記指示手段により前記液晶表示素子の全消灯時における液晶駆動電圧に対する液晶昇圧回路で得られるパルス信号の特性を測定する全消灯時測定手段と、
前記全点灯時測定手段と前記全消灯時測定手段で得た各測定結果の相関に基づいてコントラストが最大となる液晶駆動電圧を算出する算出手段と
を具備したことを特徴とする液晶表示装置。
【請求項５】
前記パルス信号の特性は、パルス信号の周波数を測定することを特徴とする請求項４記載の液晶表示装置。
【請求項６】
前記パルス信号の特性は、パルス信号の幅を測定することを特徴とする請求項４記載の液晶表示装置。
【請求項７】
前記算出手段は、前記液晶表示素子の全点灯時にパルス信号の変化の度合いが最も大きい液晶駆動電圧と全消灯時にパルス信号の変化の度合いが最も大きい液晶駆動電圧との中間電圧をコントラストが最大となる液晶駆動電圧とすることを特徴とする請求項４記載の液晶表示装置。
【請求項８】
前記算出手段は、前記液晶表示素子の全点灯時と全消灯時の各パルス信号の特性の差分を算出し、その算出した差分が最も大きくなる液晶駆動電圧をコントラストが最大となる液晶駆動電圧とすることを特徴とする請求項４記載の液晶表示装置。
【請求項９】
前記指示手段は、装置の電源投入に際して自動的にコントラスト調整を指示することを特徴とする請求項１または４記載の液晶表示装置。
【請求項１０】
前記指示手段は、所定のキー操作に対応してコントラスト調整を指示することを特徴とする請求項１または４記載の液晶表示装置。
【請求項１１】
前記指示手段は、所定の時間周期毎にコントラスト調整を指示することを特徴とする請求項１または４記載の液晶表示装置。
【請求項１２】
液晶表示素子を有する装置に内蔵されたコンピュータが実行するプログラムであって、
前記液晶表示素子のコントラスト調整を指示する指示ステップと、
この指示ステップで前記液晶表示素子の全点灯時における液晶駆動電圧に対する駆動電流特性を測定する全点灯時測定ステップと、
前記指示ステップで前記液晶表示素子の全消灯時における液晶駆動電圧に対する駆動電流特性を測定する全消灯時測定ステップと、
前記全点灯時測定ステップと前記全消灯時測定ステップで得た各測定結果の相関に基づいてコントラストが最大となる液晶駆動電圧を算出する算出ステップと
をコンピュータに実行させることを特徴とするプログラム。
【請求項１３】
液晶表示素子を有する装置に内蔵されたコンピュータが実行するプログラムであって、
前記液晶表示素子のコントラスト調整を指示する指示ステップと、
この指示ステップで前記液晶表示素子の全点灯時における液晶駆動電圧に対する液晶昇圧回路で得られるパルス信号の特性を測定する全点灯時測定ステップと、
前記指示手段ステップで前記液晶表示素子の全消灯時における液晶駆動電圧に対する液晶昇圧回路で得られるパルス信号の特性を測定する全消灯時測定ステップと、
前記全点灯時測定ステップと前記全消灯時測定ステップで得た各測定結果の相関に基づいてコントラストが最大となる液晶駆動電圧を算出する算出ステップと
をコンピュータに実行させることを特徴とするプログラム。
【発明の詳細な説明】
【技術分野】
【０００１】
本発明は、コントラストの自動調整を行なう液晶表示装置及びプログラムに関する。
【背景技術】
【０００２】
従来、液晶パネルのコントラストの自動調整を行なうものとして、ディスプレイの温度を検出し、その検出温度によりディスプレイのコントラストを変えるための抵抗部の抵抗値を可変し、ディスプレイのコントラストを自動調整するようにした技術があった。（例えば、特許文献１）
また、液晶パネルの温度を検出して、駆動電圧を示す特性テーブルから対応する駆動電圧値を読出し、該液晶パネルに印加する一方で、コントラストスイッチにより手動でコントラスト調整が行なわれると、その調整量に応じて前記特性テーブルの内容を書き換えるようにした技術もあった。（例えば、特許文献２）
【特許文献１】特開平０５−２８９６４４号公報
【特許文献２】特開平０６−２１４５２３号公報
【発明の開示】
【発明が解決しようとする課題】
【０００３】
しかしながら、前記特許文献１に係る技術は、ディスプレイの温度に対応して一律にディスプレイのコントラストを変えるための抵抗部の抵抗値を可変するようになるもので、液晶表示パネルの個体それぞれに対するコントラスト特性は考慮されていない。
【０００４】
また、前記特許文献２の技術は、手動でコントラスト調整が行なわれた時点で、その調整量に応じてコントラストの調整を実行するもので、手動で操作するコントラストスイッチの調整量に依存しているため、基本的に自動化はできず、その操作が煩雑となる。
【０００５】
本発明は前記のような実情に鑑みてなされたもので、その目的とするところは、液晶表示パネルの個体毎の特性や温度環境等に応じて常に最適なコントラスト調整を自動的に実行させることが可能な液晶表示装置及びプログラムを提供することにある。
【課題を解決するための手段】
【０００６】
請求項１記載の発明は、液晶表示素子のコントラスト調整を指示する指示手段と、この指示手段により前記液晶表示素子の全点灯時における液晶駆動電圧に対する駆動電流特性を測定する全点灯時測定手段と、前記指示手段により前記液晶表示素子の全消灯時における液晶駆動電圧に対する駆動電流特性を測定する全消灯時測定手段と、前記全点灯時測定手段と前記全消灯時測定手段で得た各測定結果の相関に基づいてコントラストが最大となる液晶駆動電圧を算出する算出手段とを具備したことを特徴とする。
【０００７】
請求項２記載の発明は、前記請求項１記載の発明において、前記算出手段は、前記液晶表示素子の全点灯時に駆動電流の変化の度合いが最も大きい液晶駆動電圧と全消灯時に駆動電流の変化の度合いが最も大きい液晶駆動電圧との中間電圧をコントラストが最大となる液晶駆動電圧とすることを特徴とする。
【０００８】
請求項３記載の発明は、前記請求項１記載の発明において、前記算出手段は、前記液晶表示素子の全点灯時と全消灯時の各駆動電流値の差分を算出し、その算出した差分が最も大きくなる液晶駆動電圧をコントラストが最大となる液晶駆動電圧とすることを特徴とする。
【０００９】
請求項４記載の発明は、液晶表示素子のコントラスト調整を指示する指示手段と、この指示手段により前記液晶表示素子の全点灯時における液晶駆動電圧に対する液晶昇圧回路で得られるパルス信号の特性を測定する全点灯時測定手段と、前記指示手段により前記液晶表示素子の全消灯時における液晶駆動電圧に対する液晶昇圧回路で得られるパルス信号の特性を測定する全消灯時測定手段と、前記全点灯時測定手段と前記全消灯時測定手段で得た各測定結果の相関に基づいてコントラストが最大となる液晶駆動電圧を算出する算出手段とを具備したことを特徴とする。
【００１０】
請求項５記載の発明は、前記請求項４記載の発明において、前記パルス信号の特性は、パルス信号の周波数を測定することを特徴とする。
【００１１】
請求項６記載の発明は、前記請求項４記載の発明において、前記パルス信号の特性は、パルス信号の幅を測定することを特徴とする。
【００１２】
請求項７記載の発明は、前記請求項４記載の発明において、前記算出手段は、前記液晶表示素子の全点灯時にパルス信号の変化の度合いが最も大きい液晶駆動電圧と全消灯時にパルス信号の変化の度合いが最も大きい液晶駆動電圧との中間電圧をコントラストが最大となる液晶駆動電圧とすることを特徴とする。
【００１３】
請求項８記載の発明は、前記請求項４記載の発明において、前記算出手段は、前記液晶表示素子の全点灯時と全消灯時の各パルス信号の特性の差分を算出し、その算出した差分が最も大きくなる液晶駆動電圧をコントラストが最大となる液晶駆動電圧とすることを特徴とする。
【００１４】
請求項９記載の発明は、前記請求項１または４記載の発明において、前記指示手段は、装置の電源投入に際して自動的にコントラスト調整を指示することを特徴とする。
【００１５】
請求項１０記載の発明は、前記請求項１または４記載の発明において、前記指示手段は、所定のキー操作に対応してコントラスト調整を指示することを特徴とする。
【００１６】
請求項１１記載の発明は、前記請求項１または４記載の発明において、前記指示手段は、所定の時間周期毎にコントラスト調整を指示することを特徴とする。
【００１７】
請求項１２記載の発明は、液晶表示素子を有する装置に内蔵されたコンピュータが実行するプログラムであって、前記液晶表示素子のコントラスト調整を指示する指示ステップと、この指示ステップで前記液晶表示素子の全点灯時における液晶駆動電圧に対する駆動電流特性を測定する全点灯時測定ステップと、前記指示ステップで前記液晶表示素子の全消灯時における液晶駆動電圧に対する駆動電流特性を測定する全消灯時測定ステップと、前記全点灯時測定ステップと前記全消灯時測定ステップで得た各測定結果の相関に基づいてコントラストが最大となる液晶駆動電圧を算出する算出ステップとをコンピュータに実行させることを特徴とする。
【００１８】
請求項１３記載の発明は、液晶表示素子を有する装置に内蔵されたコンピュータが実行するプログラムであって、前記液晶表示素子のコントラスト調整を指示する指示ステップと、この指示ステップで前記液晶表示素子の全点灯時における液晶駆動電圧に対する液晶昇圧回路で得られるパルス信号の特性を測定する全点灯時測定ステップと、前記指示ステップで前記液晶表示素子の全消灯時における液晶駆動電圧に対する液晶昇圧回路で得られるパルス信号の特性を測定する全消灯時測定ステップと、前記全点灯時測定ステップと前記全消灯時測定ステップで得た各測定結果の相関に基づいてコントラストが最大となる液晶駆動電圧を算出する算出ステップとをコンピュータに実行させることを特徴とする。
【発明の効果】
【００１９】
請求項１記載の発明によれば、コントラスト調整を指示するのみで、液晶表示パネルの個体毎の特性や温度環境等に応じて常に最適なコントラスト調整を自動的に実行させることができる。
【００２０】
請求項２記載の発明によれば、前記請求項１記載の発明の効果に加えて、全点灯時と全消灯時の各駆動電圧に対する駆動電流の変化の度合いから適正な駆動電圧を設定するようにしたので、容易に最大のコントラストが得られるようになる。
【００２１】
請求項３記載の発明によれば、前記請求項１記載の発明の効果に加えて、全点灯時と全消灯時の各駆動電圧に対する駆動電流の差分の大きさから適正な駆動電圧を設定するようにしたので、容易に最大のコントラストが得られるようになる。
【００２２】
請求項４記載の発明によれば、コントラスト調整を指示するのみで、液晶表示パネルの個体毎の特性や温度環境等に応じて常に最適なコントラスト調整を自動的に実行させることができる上、液晶昇圧回路で得られるパルス信号を利用するので、コントラスト状態を検出するための新たな部品等が不要となり、装置の製造コストを上昇させずにすむ。
【００２３】
請求項５記載の発明によれば、前記請求項４記載の発明の効果に加えて、ＰＦＭ（パルス周波数変調）方式の液晶昇圧回路を有する液晶表示装置で昇圧用のクロックパルスをコントラスト調整に有効活用することができる。
【００２４】
請求項６記載の発明によれば、前記請求項４記載の発明の効果に加えて、ＰＷＭ（パルス幅変調）方式の液晶昇圧回路を有する液晶表示装置で昇圧用のクロックパルスをコントラスト調整に有効活用することができる。
【００２５】
請求項７記載の発明によれば、前記請求項４記載の発明の効果に加えて、全点灯時と全消灯時の各駆動電圧に対するパルス信号の変化の度合いから適正な駆動電圧を設定するようにしたので、容易に最大のコントラストが得られるようになる。
【００２６】
請求項８記載の発明によれば、前記請求項４記載の発明の効果に加えて、全点灯時と全消灯時の各駆動電圧に対するパルス信号の差分の大きさから適正な駆動電圧を設定するようにしたので、容易に最大のコントラストが得られるようになる。
【００２７】
請求項９記載の発明によれば、前記請求項１または４記載の発明の効果に加えて、電源投入毎に自動的にコントラスト調整を行なうようになるため、常に最適なコントラストで表示動作を開始できる。
【００２８】
請求項１０記載の発明によれば、前記請求項１または４記載の発明の効果に加えて、所定のキー操作を行なう毎に自動的にコントラスト調整を行なうようになるため、ユーザの必要に応じたタイミングで最適なコントラスト調整を行なうことができる。
【００２９】
請求項１１記載の発明によれば、前記請求項１または４記載の発明の効果に加えて、所定の時間周期毎に自動的にコントラスト調整を行なうので、常に最適なコントラストでの表示を維持できる。
【００３０】
請求項１２記載の発明によれば、コントラスト調整を指示するのみで、液晶表示パネルの個体毎の特性や温度環境等に応じて常に最適なコントラスト調整を自動的に実行させることができる。
【００３１】
請求項１３記載の発明によれば、コントラスト調整を指示するのみで、液晶表示パネルの個体毎の特性や温度環境等に応じて常に最適なコントラスト調整を自動的に実行させることができる上、液晶昇圧回路で得られるパルス信号を利用するので、コントラスト状態を検出するための新たな部品等が不要となり、装置の製造コストを上昇させずにすむ。
【発明を実施するための最良の形態】
【００３２】
以下本発明を例えばＰＤＡ（Ｐｅｒｓｏｎａｌ  Ｄｉｇｉｔａｌ  Ａｓｓｉｓｔａｎｔｓ：個人向け情報端末機器）等の携帯型の電子機器に組込まれる液晶表示装置に適用した場合の実施の形態について図面を参照して説明する。
【００３３】
（構成）  
図１はその回路構成を示すもので、全体の動作制御を一括してＣＰＵ１１が司る。  
すなわち、このＣＰＵ１１を中心として、電源部１２、入出力部１３、メモリ部１４、液晶部１５、コントラスト検出部１６等を接続してなる。
【００３４】
電源部１２では、電源となるバッテリ１２ａの発生電圧をＤＣ−ＤＣコンバータ１２ｂが所定の電圧、例えば３．３［Ｖ］に変換して他の各回路に供給する一方で、それをさらにレギュレータ（ＲＥＧ）１２ｃにて例えば２．０［Ｖ］に降圧、安定化して前記ＣＰＵ１１に供給する。
【００３５】
また、前記ＤＣ−ＤＣコンバータ１２ｂの入出力電圧をそれぞれ検出器１２ｄ，１２ｅが検出するもので、その検出結果ＢＬＤ２，３はＣＰＵ１１に送られる。加えて、バッテリ１２ａの発生電圧値ＢＬＤ１がＣＰＵ１１及びコントラスト検出部１６に送られる。
【００３６】
前記レギュレータ１２ｃと共通して接地される液晶駆動電圧発生部１２ｆは、後述する電圧Ｖｘが抵抗Ｒ１を介して印加される。そして、ＣＰＵ１１から与えられる計８ビットの信号ａ〜ｈにしたがって液晶部１５を駆動するための駆動電圧Ｖ１〜Ｖ５を発生する。
【００３７】
入出力部１３は、ビープ音を発生するブザー１３ａ、電源をオン／オフ設定する電源キー１３ｂ、動作状態を一括してリセットするためのリセットキー１３ｃ、前記バッテリ１２ａの装脱に基づいてオン／オフするバッテリスイッチ（Ｂａｔ．ＳＷ）１３ｄ等からなり、ＣＰＵ１１の入出力端子Ｉ／Ｏに直接接続される。
【００３８】
メモリ部１４は、必要なデータ等をブロック単位で記録する不揮発性のフラッシュメモリ１４ａ、ＣＰＵ１１の動作プログラムやパラメータ等を固定的に記憶するマスクＲＯＭ１４ｂ、及びＣＰＵ１１のワークメモリとしてその時点で必要なデータ等を一時的に記憶するＳＲＡＭ１４ｃからなる。
【００３９】
液晶部１５は、液晶表示パネル１５ａ、走査ドライバ１５ｂ、及び信号ドライバ１５ｃからなる。  
液晶表示パネル１５ａは、例えばＱＶＧＡ（１／４ＶＧＡ）に対応した横３２０ドット×縦２４０ドットの構成を有する。
【００４０】
走査ドライバ１５ｂは、ＣＰＵ１１の液晶制御端子ＬＣＤ−Ｃからの信号に基づき、前記電源部１２の液晶駆動電圧発生部１２ｆから駆動電圧Ｖ１，Ｖ４を受けて、内蔵する昇圧回路により必要な電圧を得、液晶表示パネル１５ａの２４０本の走査（コモン）電極を走査駆動する。
【００４１】
信号ドライバ１５ｃは、ＣＰＵ１１の液晶制御端子ＬＣＤ−Ｃからの信号に基づき、前記電源部１２の液晶駆動電圧発生部１２ｆから駆動電圧Ｖ１，Ｖ２，Ｖ３，Ｖ５を受けて、液晶表示パネル１５ａの３２０本の信号（セグメント）電極に表示信号を供給する一方で、内蔵する昇圧回路の昇圧状態に対応して発生するパルス信号ＬＸをコントラスト検出部１６へ出力する。
【００４２】
コントラスト検出部１６は、前記信号ドライバ１５ｃで発生したパルス信号ＬＸの発振周波数に基づき、上記電源部１２の液晶駆動電圧発生部１２ｆへ印加する電圧Ｖｘを発生すると共に、液晶部１５でのコントラスト状態を表す駆動電流値信号Ａ０（第１及び第２の動作例）を検出してＣＰＵ１１へ出力する。
【００４３】
この駆動電流値信号Ａ０は、例えば、前記液晶駆動電圧発生部１２ｆへ流出される駆動電流Ａ１を電圧に変換してＣＰＵ１１のＰＯＲＴ  Ｐ０へ出力される。
【００４４】
（第１の動作例）  
以下本実施の形態の第１の動作例について説明する。  
図２及び図３は、ＣＰＵ１１が入出力部１３の電源キー１３ｂまたはリセットキー１３ｃの操作に対して実施するコントラスト調整の処理内容を示すものである。
【００４５】
その当初に、電源キー１３ｂの操作により電源がオンされたか否か（ステップＡ０１）、リセットキー１３ｃが操作されたか否か（ステップＡ０２）を繰返し判断することで、これらのキー操作があるのを待機する。
【００４６】
しかして、電源キー１３ｂの操作により電源がオンされるか、リセットキー１３ｃが操作されると前記ステップＡ０１またはＡ０２でこれを判断し、信号ドライバ１５ｃへの信号により液晶表示パネル１５ａの全画素を全点灯状態とした上で（ステップＡ０３）、液晶駆動電圧発生部１２ｆへの８ビットの信号ａ〜ｈにしたがって電子ボリュームにより駆動電圧Ｖ１〜Ｖ５を初期値に設定する（ステップＡ０４）。
【００４７】
図５は、液晶駆動電圧発生部１２ｆでＣＰＵ１１からの信号ａ〜ｈにしたがって電子ボリュームを順次可変した場合の、走査ドライバ１５ｂ及び信号ドライバ１５ｃに与えられる駆動電圧Ｖ１の実測値を例示するものであり、以下信号ａ〜ｈの内容は２桁の１６進数「○○ｈ」（○は０，１，２，‥‥，Ｆのいずれかの数値）で表すものとする。
【００４８】
すなわち、ここでは電子ボリュームの初期値を「０８ｈ」、最終値を「２Ｅｈ」とした場合についての駆動電圧Ｖ１を例示している。
【００４９】
なお、駆動電圧Ｖ１〜Ｖ５は、液晶駆動電圧発生部１２ｆに印加された電圧Ｖｘを、この液晶駆動電圧発生部１２ｆにおいて、例えば、抵抗分割によって分圧し出力される。したがって、駆動電圧Ｖ２〜Ｖ５の出力電圧は、駆動電圧Ｖ１と同等の特性を有する。
【００５０】
しかるに、ＣＰＵ１１は、前記ステップＡ０４で駆動電圧Ｖ１〜Ｖ５の初期値をセットした状態で、コントラスト検出部１６において、液晶駆動電圧発生部１２ｆへ流出する駆動電流Ａ１を電圧に変換して駆動電流値信号Ａ０として検出し、この検出した駆動電流値信号Ａ０をメモリ部１４のＳＲＡＭ１４ｃに一時的に記録させる（ステップＡ０５）。
【００５１】
その後、その時点での電子ボリュームの値が最終値、例えば「２Ｅｈ」ではないことを確認した上で（ステップＡ０６）、電子ボリュームの値を「＋１ｈ」更新設定し（ステップＡ０７）、再度前記ステップＡ０５からの駆動電流値信号Ａ０の測定と記録の処理を実行させる。
【００５２】
こうしてステップＡ０５〜Ａ０７の処理を繰返し実行させ、電子ボリュームの値が最終値となるまで順次駆動電流Ａ１の値を測定し、記録していく。  
そして、電子ボリュームの値が最終値となると、ステップＡ０６でこれを判断し、以上で液晶表示パネル１５ａの全画素を全点灯とした状態での駆動電圧Ｖ１〜Ｖ５の変化に対する駆動電流Ａ１の特性を測定し終えたものとなる。  図６は、こうして得られた液晶部１５の全点灯時の電子ボリューム値の変化（駆動電圧Ｖ１の変化）に対応した駆動電流Ａ１の値の変化を例示するものであり、縦軸は駆動電流Ａ１を、横軸は電子ボリュームの値を示す。図６によれば、電子ボリュームの値「０Ｅｈ」付近で駆動電圧Ｖ１〜Ｖ５の変化に対する駆動電流Ａ１の変化の度合い（傾き）が最も大きくなっていることがわかる。  次に、今度は信号ドライバ１５ｃへの信号により液晶表示パネル１５ａの全画素を全消灯状態とした上で（ステップＡ０８）、液晶駆動電圧発生部１２ｆへの８ビットの信号ａ〜ｈにしたがって電子ボリュームにより駆動電圧Ｖ１〜Ｖ５を初期値に設定する（ステップＡ０９）。
【００５３】
この前記ステップＡ０９で駆動電圧Ｖ１〜Ｖ５の初期値をセットした状態で液晶駆動電圧発生部１２ｆへ流出する駆動電流Ａ１を電圧に変換して駆動電流値信号Ａ０としてコントラスト検出部１６で検出させ、この検出した駆動電流値信号Ａ０をメモリ部１４のＳＲＡＭ１４ｃに一時的に記録させる（ステップＡ１０）。
【００５４】
その後、その時点での電子ボリュームの値が最終値ではないことを確認した上で（ステップＡ１１）、電子ボリュームの値を「＋１ｈ」更新設定し（ステップＡ１２）、再度前記ステップＡ１０からの駆動電流Ａ１の測定と記録の処理を実行させる。
【００５５】
こうしてステップＡ１０〜Ａ１２の処理を繰返し実行させ、電子ボリュームの値が最終値となるまで順次駆動電流Ａ１の値を測定し、記録していく。  
そして、電子ボリュームの値が最終値となると、ステップＡ１１でこれを判断し、以上で液晶表示パネル１５ａの全画素を全消灯とした状態での駆動電圧Ｖ１〜Ｖ５の変化に対する駆動電流Ａ１の特性を測定し終えたものとなる。
【００５６】
図７は、こうして得られた液晶部１５の全消灯時の電子ボリューム値の変化（駆動電圧Ｖ１の変化）に対応した駆動電流Ａ１の値の変化を例示するものであり、縦軸は駆動電流Ａ１を、横軸は電子ボリュームの値を示す。この図７によれば、電子ボリュームの値「２２ｈ」付近で駆動電圧の変化に対する駆動電流Ａ１の変化の度合い（傾き）が最も大きくなっていることがわかる。
【００５７】
液晶表示パネル１５ａの全画素の全点灯時と全消灯時の駆動電圧の変化に対する駆動電流Ａ１の変化の測定と記録を終えると、次に全点灯時の測定データから、駆動電流Ａ１の変化の度合い（傾き）が最も大きくなっている駆動電圧値を検出する（ステップＡ１３）。
【００５８】
次いで、全消灯時の測定データから、同様に駆動電流Ａ１の変化の度合い（傾き）が最も大きくなっている駆動電圧値を検出する（ステップＡ１４）。
【００５９】
こうしてステップＡ１３で検出した全点灯時の各駆動電圧値（電子ボリューム値）と、ステップＡ１４で検出した全消灯時の各駆動電圧値（電子ボリューム値）との中間値を算出し（ステップＡ１５）、算出した結果に基づいて液晶駆動電圧発生部１２ｆの電子ボリュームを調整し、以後その電子ボリューム値に対応して液晶部１５を駆動するための駆動電圧Ｖ１〜Ｖ５を可変設定するものとし（ステップＡ１６）、以上で一連の処理を終えて、再び次の操作に備えるべく前記ステップＡ０１からの処理に戻る。
【００６０】
前記図６に示した全点灯時の測定データでは、上述した如く電子ボリュームの値「０Ｅｈ」付近で駆動電流Ａ１の変化の度合い（傾き）が最も大きくなっており、一方、前記図７に示した全消灯時の測定データでは、上述した如く電子ボリュームの値「２２ｈ」付近で駆動電流Ａ１の変化の度合い（傾き）が最も大きくなっている。
【００６１】
したがって、これらの測定結果にしたがう場合、その中間値「１８ｈ」を算出して電子ボリュームを調整することで、自動的に最適なコントラスト調節を実行させることができる。
【００６２】
このように、例えば電源キー１３ｂによる電源オン操作時、あるいはリセットキー１３ｃの操作時に、併せてコントラスト調整を行なわせることにより、電源投入毎、あるいは装置の動作状態をリセットする毎に、併せて液晶表示パネル１５ａの個体毎の特性やその時点での温度環境などに応じて、常に最適なコントラスト調整を自動的に実行させることができる。
【００６３】
（第２の動作例）  
以下本実施の形態の第２の動作例について説明する。  
図２及び図４は、ＣＰＵ１１が入出力部１３の電源キー１３ｂまたはリセットキー１３ｃの操作に対して実施するコントラスト調整の処理内容を示すものである。
【００６４】
なお、図２のステップＡ０１〜Ａ１２における動作内容は、前記第１の動作例で説明した場合と基本的に同様であるので、測定結果を例示する図６及び図７の内容も含めて、その説明は省略するものとする。
【００６５】
しかして、液晶表示パネル１５ａの全画素の全点灯時と全消灯時の駆動電圧Ｖ１〜Ｖ５の変化に対する駆動電流Ａ１の変化の測定と記録を終えると、次に全点灯時と全消灯時の同一駆動電圧（電子ボリューム）の値に対する駆動電流Ａ１の差分を算出する（ステップＡ２１）。
【００６６】
図８は、前記図６及び図７の測定結果に対応した、全点灯時と全消灯時の同一駆動電圧（電子ボリューム）の値に対する駆動電流Ａ１の差分を算出した結果を例示するものである。
【００６７】
この駆動電流Ａ１の差分の特性中、最も差分値が大きくなる駆動電圧値（電子ボリューム値）を抽出し（ステップＡ２２）、抽出した結果に基づいて液晶駆動電圧発生部１２ｆの電子ボリュームを調整し、以後その電子ボリューム値に対応して駆動電圧Ｖ１〜Ｖ５を可変設定するものとし（ステップＡ２３）、以上で一連の処理を終えて、再び次の操作に備えるべく前記ステップＡ０１からの処理に戻る。
【００６８】
前記図８に示した差分の特性図では、差分値が最大となる、例えば電子ボリューム値「１Ａｈ」を抽出して電子ボリュームを調整することで、自動的に最適なコントラスト調節を実行させることができる。
【００６９】
このように、第２の動作例によれば、前記第１の動作例のように、駆動電圧Ｖ１〜Ｖ５の変化に対する駆動電流Ａ１の変化の度合い（傾き）を算出するのではなく、同一駆動電圧に対する全点灯時と全消灯時の駆動電流Ａ１の値の差分を算出することで、最適なコントラスト調整を行なうことができるため、演算処理がより容易となり、短時間のうちにコントラスト調整を実行できる。
【００７０】
（第３の動作例）  
以下本実施の形態の第３の動作例について説明する。  
第３の動作例、及び、後述する第４の動作例に基づく構成を図９に示す。この図９に示す構成は、前記図１の構成から駆動電流値信号Ａ０を削除し、信号ドライバ１５ｃから出力されるパルス信号ＬＸをＣＰＵ１１のＰＯＲＴ  Ｐ０にも入力するようにしたものである。
【００７１】
また、図９では液晶部１５の信号ドライバ１５ｃがＰＦＭ（パルス周波数変調）方式の昇圧回路を有するものとし、液晶部１５を駆動する駆動電圧Ｖ１〜Ｖ５の変化により、信号ドライバ１５ｃから得られるパルス信号ＬＸはその周波数成分が変化するものとする。
【００７２】
図１０及び図１１は、ＣＰＵ１１が入出力部１３の電源キー１３ｂまたはリセットキー１３ｃの操作に対して実施するコントラスト調整の処理内容を示すものである。
【００７３】
その当初に、電源キー１３ｂの操作により電源がオンされたか否か（ステップＢ０１）、リセットキー１３ｃが操作されたか否か（ステップＢ０２）を繰返し判断することで、これらのキー操作があるのを待機する。
【００７４】
しかして、電源キー１３ｂの操作により電源がオンされるか、リセットキー１３ｃが操作されると前記ステップＢ０１またはＢ０２でこれを判断し、信号ドライバ１５ｃへの信号により液晶表示パネル１５ａの全画素を全点灯状態とした上で（ステップＢ０３）、液晶駆動電圧発生部１２ｆへの８ビットの信号ａ〜ｈにしたがって電子ボリュームにより駆動電圧Ｖ１〜Ｖ５を初期値に設定する（ステップＢ０４）。
【００７５】
図５は、液晶駆動電圧発生部１２ｆでＣＰＵ１１からの信号ａ〜ｈにしたがって電子ボリュームを順次可変した場合の、走査ドライバ１５ｂ及び信号ドライバ１５ｃに与えられる駆動電圧Ｖ１の実測値を例示するものであり、以下信号ａ〜ｈの内容は２桁の１６進数「○○ｈ」（○は０，１，２，‥‥，Ｆのいずれかの数値）で表すものとする。
【００７６】
すなわち、ここでは電子ボリュームの初期値を「０８ｈ」、最終値を「２Ｅｈ」とした場合についてそれぞれの駆動電圧Ｖ１を例示している。
【００７７】
しかるに、ステップＢ０４で液晶部１５を駆動する駆動電圧Ｖ１〜Ｖ５の初期値をセットした状態で、信号ドライバ１５ｃから出力されるパルス信号ＬＸの周波数ｆをＣＰＵ１１で検出し、この検出した周波数をメモリ部１４のＳＲＡＭ１４ｃに一時的に記録させる（ステップＢ０５）。
【００７８】
その後、その時点での電子ボリュームの値が最終値ではないことを確認した上で（ステップＢ０６）、電子ボリュームの値を「＋１ｈ」更新設定し（ステップＢ０７）、再度前記ステップＢ０５からのパルス信号ＬＸの周波数ｆの測定と記録の処理を実行させる。
【００７９】
こうしてステップＢ０５〜Ａ０７の処理を繰返し実行させ、電子ボリュームの値が最終値となるまで順次パルス信号ＬＸの周波数ｆの値を測定し、記録していく。  
そして、電子ボリュームの値が最終値となると、ステップＢ０６でこれを判断し、以上で液晶表示パネル１５ａの全画素を全点灯とした状態での駆動電圧Ｖ１〜Ｖ５の変化に対するパルス信号ＬＸの周波数ｆの特性を測定し終えたものとなる。
【００８０】
次に、今度は信号ドライバ１５ｃへの信号により液晶表示パネル１５ａの全画素を全消灯状態とした上で（ステップＢ０８）、液晶駆動電圧発生部１２ｆへの８ビットの信号ａ〜ｈにしたがって電子ボリュームにより駆動電圧Ｖ１〜Ｖ５を初期値に設定する（ステップＢ０９）。
【００８１】
この前記ステップＢ０９で駆動電圧Ｖ１〜Ｖ５の初期値をセットした状態での駆動電圧Ｖ１〜Ｖ５に対する信号ドライバ１５ｃからのパルス信号ＬＸの周波数ｆをコントラスト検出部１６で検出させ、その検出した周波数ｆの値をメモリ部１４のＳＲＡＭ１４ｃに一時的に記録させる（ステップＢ１０）。
【００８２】
その後、その時点での電子ボリュームの値が最終値ではないことを確認した上で（ステップＢ１１）、電子ボリュームの値を「＋１ｈ」更新設定し（ステップＢ１２）、再度前記ステップＢ１０からのパルス信号ＬＸの周波数ｆの測定と記録の処理を実行させる。
【００８３】
こうしてステップＢ１０〜Ｂ１２の処理を繰返し実行させ、電子ボリュームの値が最終値となるまで順次パルス信号ＬＸの周波数ｆの値を測定し、記録していく。  
そして、電子ボリュームの値が最終値となると、ステップＢ１１でこれを判断し、以上で液晶表示パネル１５ａの全画素を全消灯とした状態での電子ボリューム（駆動電圧Ｖ１）の変化に対するパルス信号ＬＸの周波数ｆの特性を測定し終えたものとなる。
【００８４】
液晶部１５の全点灯時と全消灯時の駆動電圧の変化に対するパルス信号ＬＸの周波数ｆの変化の測定と記録を終えると、次に全点灯時の測定データから、パルス信号ＬＸの周波数ｆの変化の度合い（傾き）が最も大きくなっている駆動電圧値を検出する（ステップＢ１３）。
【００８５】
次いで、全消灯時の測定データから、同様にパルス信号ＬＸの周波数ｆの変化の度合い（傾き）が最も大きくなっている駆動電圧値を検出する（ステップＢ１４）。
【００８６】
こうしてステップＢ１３で検出した全点灯時の各駆動電圧値（電子ボリューム値）と、ステップＢ１４で検出した全消灯時の各駆動電圧値（電子ボリューム値）との中間値を算出し（ステップＢ１５）、算出した結果に基づいて液晶駆動電圧発生部１２ｆの電子ボリュームを調整し、以後その電子ボリューム値に対応して液晶部１５を駆動するための駆動電圧Ｖ１〜Ｖ５を可変設定するものとし（ステップＢ１６）、以上で一連の処理を終えて、再び次の操作に備えるべく前記ステップＢ０１からの処理に戻る。
【００８７】
このように、例えば電源キー１３ｂによる電源オン操作時、あるいはリセットキー１３ｃの操作時に、併せてコントラスト調整を行なわせることにより、電源投入毎、あるいは装置の動作状態をリセットする毎に、併せて液晶表示パネルの個体毎の特性やその時点での温度環境などに応じて、常に最適なコントラスト調整を自動的に実行させることができる。
【００８８】
加えて、ＰＦＭ（パルス周波数変調）方式の液晶昇圧回路を組込んだ信号ドライバ１５ｃで、昇圧用のパルス信号ＬＸをコントラスト調整に有効活用することができるため、コントラストの状態を検出するための新たな部品等が不要となり、装置の製造コストを上昇させずにすむ。
【００８９】
（第４の動作例）
以下本実施の形態の第４の動作例について説明する。  
図１０及び図１２は、ＣＰＵ１１が入出力部１３の電源キー１３ｂまたはリセットキー１３ｃの操作に対して実施するコントラスト調整の処理内容を示すものである。
【００９０】
なお、図１０のステップＢ０１〜Ｂ１２における動作内容は、前記第３の動作例で説明した場合と基本的に同様であるので、その説明は省略するものとする。
【００９１】
しかして、液晶部１５の全点灯時と全消灯時の駆動電圧の変化に対するパルス信号ＬＸの周波数ｆの測定と記録を終えると、次に全点灯時と全消灯時の同一駆動電圧（電子ボリューム）の値に対するパルス信号ＬＸの周波数ｆの差分を算出する（ステップＢ２１）。
【００９２】
図１３は、液晶表示パネル１５ａの全画素の全点灯時と全消灯時の電子ボリューム値の変化（駆動電圧Ｖ１の変化）に対応したパルス信号ＬＸの周波数ｆの各変化を実測値で例示するものであり、実線で示す特性αが全点灯時、破線で示す特性βが全消灯時を示す。
【００９３】
これに対して図１４は、前記図１３の測定結果に対応した、全点灯時と全消灯時の同一駆動電圧（電子ボリューム）の値に対するパルス信号ＬＸの周波数ｆの差分を算出した結果を例示するものである。  
この駆動電流Ａ１の値の差分の特性中、最も差分値が大きくなる駆動電圧値（電子ボリューム値）を抽出し（ステップＢ２２）、抽出した結果に基づいて液晶駆動電圧発生部１２ｆの電子ボリュームを調整し、以後その電子ボリューム値に対応して他の駆動電圧を可変設定するものとし（ステップＢ２３）、以上で一連の処理を終えて、再び次の操作に備えるべく前記ステップＢ０１からの処理に戻る。
【００９４】
前記図１４に示した差分の特性図では、例えば電子ボリューム値「１Ａｈ」を抽出して電子ボリュームを調整することで、自動的に最適なコントラスト調節を実行させることができる。
【００９５】
このように、第４の動作例によれば、前記第３の動作例のように、駆動電圧の変化に対するパルス信号ＬＸの周波数ｆの変化の度合い（傾き）を算出するのではなく、同一駆動電圧に対する全点灯時と全消灯時のパルス信号ＬＸの周波数ｆの差分を算出することで、最適なコントラスト調整を行なうことができるため、演算処理がより容易となり、短時間のうちにコントラスト調整を実行できる。
【００９６】
なお、参考までに前記第１乃至第４の動作例で用いた、電子ボリュームの値に対応する、液晶部１５の全画素の全消灯時及び全点灯時の駆動電圧Ｖ１に対する各電流値Ａ１とその差分、全消灯時及び全点灯時の各パルス信号ＬＸの周波数ｆとその差分の実測値を図１５に図示しておく。
【００９７】
なお、前記第３及び第４の動作例では、液晶部１５の信号ドライバ１５ｃがＰＦＭ（パルス周波数変調）方式の液晶昇圧回路を有するものであるとして説明したが、信号ドライバ１５ｃがＰＷＭ（パルス幅変調）方式の液晶昇圧回路を有するものである場合には、パルス信号ＬＸの周波数ｆに代えて、図１０及び図１２中でも示すように、該クロックパルスのパルス幅ＷをＣＰＵ１１にて検出し、その検出したパルス幅の値から変化の度合い、または全点灯時と全消灯時の差分を検出するものとすれば、同様のコントラスト調整を実施することができる。
【００９８】
また、前記第１乃至第４の実施の形態ではいずれも、入出力部１３の電源キー１３ｂによる電源投入操作時またはリセットキー１３ｃ操作時に自動的にコントラスト調整を行なうものとして説明したが、本発明はこれに限るものではなく、液晶部１５の液晶表示パネル１５ａでの表示コントラストが周囲の温度環境に影響を受けること、及び液晶表示パネル１５ａが蛍光管等によるバックライト装置を有している場合にそのバックライト装置の温度の影響を受けることに鑑みて、温度や時間の変化、経過をコントラスト調整の指示タイミングの要因に利用するものとしても良い。
【００９９】
具体的には、温度を指示タイミングの要因に用いる場合には、サーミスタ等の温度計測素子により液晶表示パネル１５ａの温度を計測し、その計測した温度が予め設定した値、例えば「１５［℃］」「２０［℃］」「２５［℃］」「３０［℃］」「３５［℃］」‥‥といった「５［℃］」刻みの設定温度を超える毎にコントラスト調整を行なうものとしても良い。
【０１００】
また、時間を指示タイミングの要因に用いる場合には、前記ＣＰＵ１１が現在時刻を計時し続けるＲＴＣ（Ｒｅａｌ  Ｔｉｍｅ  Ｃｌｏｃｋ）を内蔵していれば、電源オン時には該ＲＴＣの計時内容により所定の時間周期、例えば５［分］毎に自動的にコントラスト調整を行なうようにしてもよい。
【０１０１】
このように、周囲の温度環境が変化した場合や時間の経過に対応して自動的にコントラスト調整を行ない、常に最適なコントラストでの表示を維持できる。
【０１０２】
なお、前記実施の形態は、携帯型の電子機器に組込まれる液晶表示装置に適用した場合について説明したものであるが、本発明はこれに限らず、液晶表示パネルを表示素子として用い、コントラスト調整を行なう必要がある機器であればいずれにも適用可能であることは勿論である。
【０１０３】
その他、本発明は前記実施の形態に限らず、その要旨を逸脱しない範囲内で種々変形して実施することが可能であるものとする。
【０１０４】
さらに、前記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１０５】
【図１】本発明の実施の形態に係る第１及び第２の動作例における液晶表示装置の回路構成を示すブロック図。
【図２】本発明の実施の形態に係る第１及び第２の動作例におけるコントラスト調整の処理内容を示すフローチャート。
【図３】本発明の実施の形態に係る第１の動作例におけるコントラスト調整の処理内容を示すフローチャート。
【図４】本発明の実施の形態に係る第２の動作例におけるコントラスト調整の処理内容を示すフローチャート。
【図５】本発明の実施の形態に係る第１乃至第４の動作例における電子ボリューム値に対する駆動電圧値の関係を例示する図。
【図６】本発明の実施の形態に係る第１及び第２の動作例におけるで全点灯時の駆動電圧に対する駆動電流Ａ１の特性を例示する図。
【図７】本発明の実施の形態に係る第１及び第２の動作例における全消灯時の駆動電圧に対する駆動電流の特性を例示する図。
【図８】本発明の実施の形態に係る第２の動作例における全点灯時と全消灯時の駆動電流の差分の特性を例示する図。
【図９】本発明の実施の形態に係る第３及び第４の動作例における液晶表示装置の回路構成を示すブロック図。
【図１０】本発明の実施の形態に係る第３及び第４の動作例におけるコントラスト調整の処理内容を示すフローチャート。
【図１１】本発明の実施の形態に係る第３の動作例におけるコントラスト調整の処理内容を示すフローチャート。
【図１２】本発明の実施の形態に係る第４の動作例におけるコントラスト調整の処理内容を示すフローチャート。
【図１３】本発明の実施の形態に係る第４の動作例における全点灯時と全消灯時のクロックパルスの各周波数特性を例示する図。
【図１４】本発明の実施の形態に係る第４の動作例における全点灯時と全消灯時のクロックパルス周波数の差分の特性を例示する図。
【図１５】本発明の実施の形態に係る第１乃至第４の動作例での計測結果を総括して示す図。
【符号の説明】
【０１０６】
１１…ＣＰＵ、１２…電源部、１２ａ…バッテリ、１２ｂ…ＤＣ−ＤＣコンバータ、１２ｃ…レギュレータ（ＲＥＧ）、１２ｄ，１２ｅ…検出器、１２ｆ…液晶駆動電圧発生部、１３…入出力部、１３ａ…ブザー、１３ｂ…電源キー、１３ｃ…リセットキー、１３ｄ…バッテリスイッチ（Ｂａｔ．ＳＷ）、１４…メモリ部、１４ａ…フラッシュメモリ、１４ｂ…マスクＲＯＭ、１４ｃ…ＳＲＡＭ、１５…液晶部、１５ａ…液晶表示パネル、１５ｂ…走査ドライバ、１５ｃ…信号ドライバ、１６…コントラスト検出部。
【図１】
2005121898.tif 000003
【図２】
2005121898.tif 000004
【図３】
2005121898.tif 000005
【図４】
2005121898.tif 000006
【図５】
2005121898.tif 000007
【図６】
2005121898.tif 000008
【図７】
2005121898.tif 000009
【図８】
2005121898.tif 000010
【図９】
2005121898.tif 000011
【図１０】
2005121898.tif 000012
【図１１】
2005121898.tif 000013
【図１２】
2005121898.tif 000014
【図１３】
2005121898.tif 000015
【図１４】
2005121898.tif 000016
【図１５】
2005121898.tif 000017